(57)【特許請求の範囲】
【請求項１】
紙幣を繰り出し可能に収納する収納部と、
前記収納部から繰り出された紙幣を識別する識別部と、
前記識別部の識別結果に基づいて紙幣の表裏を取り揃える表裏取揃部と、
前記表裏取揃部で表裏が取り揃えられた紙幣を受け入れて外部に取り出し可能とする出金口とを有する紙幣処理装置であって、
前記表裏取揃部は、紙幣を表裏反転させることなく通過させる表券ルートと、紙幣を表裏反転させる裏券ルートと、前記識別部から搬送されてきた紙幣を前記表券ルートと前記裏券ルートとに振り分ける振分部と、前記表券ルートおよび前記裏券ルートを前記振分部とは反対側で合流させる合流部とを有しており、
前記合流部と前記出金口とを分岐なく繋ぐとともに、前記合流部と前記出金口との間に、紙幣の一枚送りおよび重送を検知する重送検知センサを設け、
前記表券ルートおよび前記裏券ルートは、互いの紙幣搬送長さが非等長であり、
前記識別部の識別結果による紙幣の表裏情報から重送を生じる可能性がある場合には、前記重送検知センサで重送を検知しても、前記出金口への出金が正常であると判定し、前記識別部の識別結果による紙幣の表裏情報から重送を生じる可能性がない場合に、前記重送検知センサで重送を検知すると、前記出金口への出金が正常でないと判定することを特徴とする紙幣処理装置。
【請求項２】
前記裏券ルートが前記表券ルートの上側に配置されていることを特徴とする請求項１記載の紙幣処理装置。
【発明の詳細な説明】
【技術分野】
【０００１】
本発明は、紙幣の表裏を取り揃えて出金可能な紙幣処理装置に関するものである。
【背景技術】
【０００２】
紙幣処理装置において、表裏取揃部を備えることで紙幣の表裏を取り揃えて出金する装置がある（例えば、特許文献１参照）。この装置では、搬送されてきた紙幣を表裏の状態に応じて出金口へ上側から繰り出したり下側から繰り出したりすることで紙幣の表裏を取り揃えるようになっている。
【０００３】
また、表裏取揃装置において、表裏が異なる二枚の紙幣が続けて搬送されてきて、先行の紙幣が表裏反転を行い、後行の紙幣が表裏反転を行わない場合であっても、後行の紙幣が先行の紙幣に追いついて二重にならないように搬送間隔をあけて下流側に搬送するようにしたものがある（例えば、特許文献２参照）。
【先行技術文献】
【特許文献】
【０００４】
【特許文献１】特開２００７−１５６９６２号公報
【特許文献２】特開２０１１−７３７９７号公報
【発明の概要】
【発明が解決しようとする課題】
【０００５】
特許文献１に記載された表裏取揃部は、紙幣を出金口へ上側から繰り出したり下側から繰り出したりする必要があるため、大型化してしまうという課題がある。また、出金口へ二方向から紙幣を繰り出すため、整列状に集積する必要があって構造が複雑になってしまうという課題がある。また、特許文献２に記載の装置は、搬送間隔をあけて下流側に搬送するものであるため、表裏反転のための構造が複雑化し大型化してしまうという課題がある。表裏取揃部が大型化すると、紙幣処理装置における実装位置にも制約を受けることになる。
【０００６】
したがって、本発明は、表裏取揃部を小型化し簡素化することができる紙幣処理装置の提供を目的とする。
【課題を解決するための手段】
【０００７】
上記目的を達成するために、請求項１に係る発明は、紙幣を繰り出し可能に収納する収納部と、前記収納部から繰り出された紙幣を識別する識別部と、前記識別部の識別結果に基づいて紙幣の表裏を取り揃える表裏取揃部と、前記表裏取揃部で表裏が取り揃えられた紙幣を受け入れて外部に取り出し可能とする出金口とを有する紙幣処理装置であって、前記表裏取揃部は、紙幣を表裏反転させることなく通過させる表券ルートと、紙幣を表裏反転させる裏券ルートと、前記識別部から搬送されてきた紙幣を前記表券ルートと前記裏券ルートとに振り分ける振分部と、前記表券ルートおよび前記裏券ルートを前記振分部とは反対側で合流させる合流部とを有しており、前記合流部と前記出金口とを分岐なく繋ぐとともに、前記合流部と前記出金口との間に、紙幣の一枚送りおよび重送を検知する重送検知センサを設け、前記表券ルートおよび前記裏券ルートは、互いの紙幣搬送長さが非等長であり、前記識別部の識別結果による紙幣の表裏情報から重送を生じる可能性がある場合には、前記重送検知センサで重送を検知しても、前記出金口への出金が正常であると判定し、前記識別部の識別結果による紙幣の表裏情報から重送を生じる可能性がない場合に、前記重送検知センサで重送を検知すると、前記出金口への出金が正常でないと判定することを特徴とする。
【０００９】
請求項２に係る発明は、請求項１に係る発明において、前記裏券ルートが前記表券ルートの上側に配置されていることを特徴とする。
【発明の効果】
【００１０】
請求項１に係る発明によれば、表裏取揃部において、表裏反転が不要な紙幣は、振分部によって表券ルートに振り分けられ、表裏反転させられることなく表券ルートを通過して合流部を通り、出金口に繰り出される。他方、表裏反転が必要な紙幣は、振分部によって裏券ルートに振り分けられ、裏券ルートで表裏反転させられて合流部を通り、出金口に繰り出される。よって、紙幣を出金口へ上側から繰り出したり下側から繰り出したりする場合と比べて表裏取揃部を小型化し簡素化することができる。しかも、表裏取揃部の合流部と出金口とは途中で分岐することなく繋がれているため、分岐のための部材を差し入れるための紙幣間隔が不要となり、例え紙幣が合流部で重なることがあったとしても、そのまま出金口に繰り出すことができる。よって、表裏を取り揃えた紙幣を搬送間隔をあけて下流側に搬送する場合と比べて表裏取揃部を小型化し簡素化することができる。
【００１２】
また、表券ルートおよび裏券ルートは、互いの紙幣搬送長さが非等長となっているため、等長にする場合のように長さの調整が不要になる。よって、表裏取揃部をさらに小型化し簡素化することができる。
【００１３】
請求項２に係る発明によれば、裏券ルートが表券ルートの上側に配置されているため、構造が簡素で開閉しやすい表券ルートを開閉する構造にすることで表裏取揃部のメンテナンスが可能になり、開閉構造の簡素化が図れる。
【図面の簡単な説明】
【００１４】
【図１】本発明の一実施形態に係る紙幣処理装置を概略的に示す構成図である。
【図２】本発明の一実施形態に係る紙幣処理装置を概略的に示す構成図であって、入金処理ルートを太線で示すものである。
【図３】本発明の一実施形態に係る紙幣処理装置を概略的に示す構成図であって、収納処理ルートを太線で示すものである。
【図４】本発明の一実施形態に係る紙幣処理装置を概略的に示す構成図であって、返却処理ルートを太線で示すものである。
【図５】本発明の一実施形態に係る紙幣処理装置を概略的に示す構成図であって、出金処理ルートを太線で示すものである。
【図６】本発明の一実施形態に係る紙幣処理装置を概略的に示す構成図であって、精査処理の往路ルートを太線で示すものである。
【図７】本発明の一実施形態に係る紙幣処理装置を概略的に示す構成図であって、精査処理の復路ルートを太線で示すものである。
【図８】本発明の一実施形態に係る紙幣処理装置を概略的に示す構成図であって、回収処理ルートを太線で示すものである。
【図９】本発明の一実施形態に係る紙幣処理装置を概略的に示す構成図であって、補充処理ルートを太線で示すものである。
【発明を実施するための形態】
【００１５】
本発明の一実施形態に係る紙幣処理装置を図面を参照して以下に説明する。この紙幣処理装置１１は、外部から投入された紙幣を内部に収納する入金処理と、内部に収納されている紙幣を外部に取り出し可能に出金する出金処理とが可能な紙幣入出金装置である。なお、以下の説明における「前」は操作者側を、「後」は操作者とは反対側を示す。
【００１６】
図１に示すように、紙幣処理装置１１の前面側には、入金用の紙幣が外部から投入されるとともに出金用の紙幣が内部から繰り出されこれを外部に取り出し可能とする入出金口１２（出金口）が設けられており、この入出金口１２の下方に、入金用の紙幣のうち受け入れ不可なリジェクト紙幣を外部に取り出し可能とする入金リジェクト口１３（リジェクト口）が設けられている。
【００１７】
入出金口１２は、紙幣の入出を行う内口部１２ａを一カ所のみ後端部に有しており、この内口部１２ａには、内口部１２ａから後方に延出した後、紙幣処理装置１１の後部の折返部分で下側に折り返して前方に延出する搬送路１５Ａが接続されている。搬送路１５Ａには、後部の折返部分よりも入出金口１２側に、紙幣の真偽、正損、金種、重送、斜行等を識別する識別部１６が設けられている。また、搬送路１５Ａの折返部分に対し入出金口１２とは反対側には、複数具体的には４カ所の搬送路１５Ｂ，１５Ｃ，１５Ｄ，１５Ｅが下方に分岐するように接続されており、これら搬送路１５Ｂ〜１５Ｅが、紙幣処理装置１１内の下部に前後に並んで設けられた複数具体的には４つの一時貯留収納部１８Ｂ，１８Ｃ，１８Ｄ，１８Ｅに一対一で紙幣を入出可能に接続されている。つまり、搬送路１５Ｂに一時貯留収納部１８Ｂが、搬送路１５Ｃに一時貯留収納部１８Ｃが、搬送路１５Ｄに一時貯留収納部１８Ｄが、搬送路１５Ｅに一時貯留収納部１８Ｅが、それぞれ紙幣を入出可能に接続されている。
【００１８】
搬送路１５Ｂの分岐位置には、搬送路１５Ａで識別部１６から搬送中の紙幣を選択的に搬送路１５Ｂに振り分ける振分部２０Ｂが、搬送路１５Ｃの分岐位置には、搬送路１５Ａで識別部１６から搬送中の紙幣を選択的に搬送路１５Ｃに振り分ける振分部２０Ｃが、搬送路１５Ｄの分岐位置には、搬送路１５Ａで識別部１６から搬送中の紙幣を選択的に搬送路１５Ｄに振り分ける振分部２０Ｄが、搬送路１５Ｅの分岐位置には、搬送路１５Ａで識別部１６から搬送中の紙幣を選択的に搬送路１５Ｅに振り分ける振分部２０Ｅが、それぞれ設けられている。
【００１９】
搬送路１５Ａには、搬送路１５Ｅに対し識別部１６とは反対側に、下方に分岐するように搬送路１５Ｆが接続されており、この搬送路１５Ｆの末端にはリジェクトカセット２２が接続されている。搬送路１５Ｆの分岐位置には、搬送路１５Ａで搬送中の紙幣を選択的に搬送路１５Ｆに振り分ける振分部２０Ｆが設けられている。
【００２０】
搬送路１５Ａの最も入出金口１２とは反対側には、繰出カセット２４が接続されており、この繰出カセット２４の下側には繰出カセット２４の紙幣を収納する収納カセット２５が設けられている。
【００２１】
搬送路１５Ａは、入出金口１２と識別部１６との間位置と、搬送路１５Ｅと搬送路１５Ｆとの間位置とが搬送路１５Ｇで接続されている。搬送路１５Ｇの入出金口１２および識別部１６側の分岐位置には、搬送路１５Ａで識別部１６側から搬送中の紙幣を選択的に搬送路１５Ｇに振り分ける振分部２０Ｇａが、搬送路１５Ｇの搬送路１５Ｅおよび搬送路１５Ｆ側の分岐位置には、搬送路１５Ａで繰出カセット２４側から搬送中の紙幣を選択的に搬送路１５Ｇに振り分ける振分部２０Ｇｂが、それぞれ設けられている。
【００２２】
搬送路１５Ａには、入出金口１２と搬送路１５Ｇと間から分岐して入金リジェクト口１３に繋がる搬送路１５Ｈが接続されている。搬送路１５Ｈの分岐位置には、搬送路１５Ａで識別部１６側から搬送中の紙幣を選択的に搬送路１５Ｈに振り分ける振分部２０Ｈが設けられている。
【００２３】
そして、本実施形態において、搬送路１５Ａには、搬送路１５Ｇの入出金口１２および識別部１６側の接続位置と搬送路１５Ｈの接続位置との間から分岐して入出金口１２への接続位置近傍で合流する表裏反転搬送路１５Ｊが接続されている。表裏反転搬送路１５Ｊの入出金口１２とは反対側の分岐位置には、搬送路１５Ａで識別部１６側から搬送中の紙幣を選択的に表裏反転搬送路１５Ｊに振り分ける振分部２０Ｊが設けられている。
【００２４】
搬送路１５Ａは、より詳しくは、入出金口１２の内口部１２ａから後下がりに延出して表裏反転搬送路１５Ｊの入出金口１２側の端部に繋がる搬送部Ａａと、搬送部Ａａからさらに後下がりに延出し、鉛直下方に延出した後、湾曲して後側に向いて搬送路１５Ｈの分岐位置に繋がる搬送部Ａｂと、この搬送部Ａｂの下端から水平後方に延びて表裏反転搬送路１５Ｊの入出金口１２とは反対側の端部に繋がる搬送部Ａｃと、この搬送部Ａｃからさらに水平後方に延びて搬送路１５Ｇの一端の接続位置に繋がる搬送部Ａｄと、この搬送部Ａｄから紙幣処理装置１１の後部位置まで延出し下側に折り返して搬送路１５Ｂの分岐位置に繋がる搬送部Ａｅと、この搬送部Ａｅから水平前方に延出して搬送路１５Ｃの分岐位置に繋がる搬送部Ａｆと、この搬送部Ａｆから水平前方に延出して搬送路１５Ｄの分岐位置に繋がる搬送部Ａｇと、この搬送部Ａｇから水平前方に延出して搬送路１５Ｅの分岐位置に繋がる搬送部Ａｈと、この搬送部Ａｈから前上がりに傾斜して搬送路１５Ｇの他端の分岐位置に繋がる搬送部Ａｉと、この搬送部Ａｉから水平前方に延出して搬送路１５Ｆの分岐位置に繋がる搬送部Ａｊと、この搬送部Ａｊから水平前方に延出した後、湾曲して下方に向いて繰出カセット２４に繋がる搬送部Ａｋとを有している。
【００２５】
搬送路１５Ｈは、搬送部Ａｃから水平前方に延出して入金リジェクト口１３に繋がる。搬送路１５Ｇは、搬送部Ａｉ，Ａｊの間位置から後上がりに傾斜して搬送部Ａｄ，Ａｅの間位置に繋がる。
【００２６】
入出金口１２は、その外側開口部を開閉するシャッタ３０と、互いに上下および前後に離れて後下がりに傾斜する底面３１および天井面３２と、これら底面３１および天井面３２の後部を繋ぐように後上がりに傾斜する奥面３３と、底面３１および天井面３２に沿う姿勢で奥面３３に沿って昇降するビルプレス３４とを有しており、奥面３３と天井面３２との間に内口部１２ａが設けられて搬送路１５Ａが接続されている。
【００２７】
入出金口１２は、ビルプレス３４が底面３１側の所定の投入位置した状態で、シャッタ３０が開かれると、ビルプレス３４と天井面３２との間に外部から紙幣が投入されることになる。その際に紙幣は、長さ方向を左右方向に沿わせビルプレス３４と平行をなした姿勢でビルプレス３４と天井面３２とを結ぶ方向に集積された状態で投入される。そして、ビルプレス３４を天井面３２側に移動させた状態で搬送路１５Ａの入出金口１２側に設けられた図示略の分離繰出機構が紙幣を一枚ずつに分離して内口部１２ａから内部に繰り出す。
【００２８】
また、入出金口１２には、搬送路１５Ａで搬送されてきた紙幣が内口部１２ａから一枚ずつビルプレス３４上に繰り出されることになり、その際に紙幣は、長さ方向を左右方向に沿わせビルプレス３４と平行をなした姿勢でビルプレス３４と天井面３２とを結ぶ方向に集積される。ビルプレス３４は、天井面３２側の所定の受入位置に位置した状態で、搬送路１５Ａで搬送されてきた紙幣の受け入れを開始することになり、紙幣の集積量に応じて天井面３２からの距離を拡大するようになっている。
【００２９】
一時貯留収納部１８Ｂには上部に一時貯留部４０Ｂが下部に出金収納部４１Ｂが、一時貯留収納部１８Ｃには上部に一時貯留部４０Ｃが下部に出金収納部４１Ｃが、一時貯留収納部１８Ｄには上部に一時貯留部４０Ｄが下部に出金収納部４１Ｄが、一時貯留収納部１８Ｅには上部に一時貯留部４０Ｅが下部に出金収納部４１Ｅが、それぞれ設けられている。一時貯留部４０Ｂ〜４０Ｅは、搬送路１５Ｂ〜１５Ｅの対応するものから導入された紙幣を下から上へと順に集積させて一時貯留するとともに、一時貯留している紙幣を図示略の分離繰出機構により上側のものから順に一枚ずつ搬送路１５Ｂ〜１５Ｅの対応するものに繰り出し可能となっている。また、一時貯留部４０Ｂ〜４０Ｅは、一時貯留している紙幣を上下方向に集積させた状態のまま出金収納部４１Ｂ〜４０Ｅの対応するものに収納可能となっている。出金収納部４１Ｂ〜４１Ｅは、収納している紙幣を一時貯留部４０Ｂ〜４０Ｅに紙幣がない状態で上昇させ、図示略の分離繰出機構により上側のものから順に一枚ずつ搬送路１５Ｂ〜１５Ｅの対応するものに繰り出し可能となっている。つまり、一時貯留収納部１８Ｂ〜１８Ｅは、紙幣を繰り出し可能に収納する。
【００３０】
リジェクトカセット２２は、紙幣の収納のみを行うもので、収納している紙幣の取り出しのために紙幣処理装置１１から取り外し可能となっている。
【００３１】
繰出カセット２４は、搬送路１５Ａから導入された紙幣を下から上へと順に集積させて収納するとともに、収納している紙幣を図示略の分離繰出機構により上側のものから順に一枚ずつ搬送路１５Ａに繰り出し可能となっている。繰出カセット２４は、収納している紙幣を上下方向に集積させた状態のまま収納カセット２５に収納可能となっている。繰出カセット２４は、紙幣の補充のために紙幣処理装置１１から取り外し可能となっている。
【００３２】
収納カセット２５は、収納している紙幣を繰出カセット２４に紙幣がない状態で上昇させ、図示略の分離繰出機構により上側のものから順に一枚ずつ搬送路１５Ａに繰り出し可能となっている。
【００３３】
識別部１６は、入出金口１２等から繰り出されて搬送路１５Ａの搬送部Ａｅを移動する紙幣の真偽、正損、金種、重送、斜行等を識別することになり、また、一時貯留収納部１８Ａ〜１８Ｅ等から繰り出されて搬送路１５Ａの搬送部Ａｅを逆方向に移動する紙幣の真偽、正損、金種、重送、斜行等を識別することになる。
【００３４】
表裏反転搬送路１５Ｊは、搬送路１５Ａの搬送部Ａｄ，Ａｃの間位置から上側に分岐し湾曲して後方に後上がりに延びる入口側搬送部Ｊａと、この入口側搬送部Ｊａの末端位置から上側にて前方に前上がりに延出して搬送部Ａａ，Ａｂの間位置に繋がる出口側搬送部Ｊｂと、入口側搬送部Ｊａの末端位置に位置する紙幣を上方に押圧して出口側搬送部Ｊｂに移載する移載機構Ｊｃとを有している。
【００３５】
識別部１６の識別結果に基づいて、例えば裏面が上向きの状態で搬送部Ａｄ上を移動していて表裏反転が必要な紙幣は、振分部２０Ｊで表裏反転搬送路１５Ｊの入口側搬送部Ｊａに振り分けられる。すると、この紙幣は、入口側搬送部Ｊａの末端位置では裏面が下向き（つまり表面が上向き）となり、このまま移載機構Ｊｃで出口側搬送部Ｊｂに移載されて出口側搬送部Ｊｂで搬送されると表面が上向きの状態で搬送部Ａａを通って入出金口１２に繰り出されることになる。なお、出口側搬送部Ｊｂから繰り出される紙幣は、図示略の案内機構によって常に搬送部Ａａ側に搬送されるようになっており、言い換えれば搬送部Ａｂへの進入が規制されるようになっている。
【００３６】
他方、識別部１６の識別結果から例えば表面が上向きの状態で搬送部Ａｄ上を移動していて表裏反転が不要な紙幣は、振分部２０Ｊで搬送部Ａｃに、振分部２０Ｈで搬送部Ａｂに振り分けられる。すると、この紙幣は、表面が上向きの状態のまま搬送部Ａａを通って入出金口１２に繰り出されることになる。
【００３７】
なお、入出金口１２から搬送部Ａａに搬送される紙幣は、図示略の案内機構によって常に搬送部Ａｂ側に搬送されるようになっており、言い換えれば、出口側搬送部Ｊｂへの進入が規制されるようになっている。
【００３８】
以上により、表裏反転搬送路１５Ｊ、振分部２０Ｈ，２０Ｊおよび搬送部Ａｂ，Ａｃが、識別部１６の識別結果に基づいて紙幣の表裏の向きが一定となるように取り揃える表裏取揃部５０を構成しており、入出金口１２は、入金時に外部から投入された紙幣を繰り出すと共に出金時に表裏取揃部５０で表裏が取り揃えられた紙幣を受け入れて外部に取り出し可能とする。そして、表裏取揃部５０において、搬送部Ａｂ，Ａｃが、紙幣を表裏反転させることなく通過させる表券ルートを構成し、表裏反転搬送路１５Ｊが紙幣を表裏反転させる裏券ルートを構成している。表裏反転搬送路１５Ｊつまり裏券ルートは、搬送部Ａｂ，Ａｃつまり表券ルートの鉛直方向の上側に配置されている。
【００３９】
また、振分部２０Ｊが、識別部１６から搬送されてきた紙幣を表券ルートと裏券ルートとに振り分けることになり、表裏反転搬送路１５Ｊと搬送部Ａｂとの合流部５１が表券ルートおよび裏券ルートを振分部２０Ｊとは反対側で合流させる合流部５１となっている。表裏反転搬送路１５Ｊの搬送長さ、つまり裏券ルートの搬送長さよりも、搬送部Ａｂ，Ａｃの搬送長さ、つまり表券ルートの搬送長さは短くなっており、裏券ルートおよび表券ルートは互いの紙幣搬送長さが非等長となっている。合流部５１と入出金口１２との間には搬送部Ａａが設けられており、よって、合流部５１と入出金口１２とは紙幣の搬送経路上、離れている。
【００４０】
表裏取揃部５０は、一端の振分部２０Ｊ側が一本の搬送部Ａｄに接続されており、他端の合流部５１側が一本の搬送部Ａａに接続されている。そして、この表裏取揃部５０の合流部５１と入出金口１２とは一本の搬送部Ａａで接続されており、この搬送部Ａａは他の搬送路に分岐したり、他の搬送路が合流したりしない。つまり、表裏取揃部５０の合流部５１と入出金口１２とは他の搬送路への分岐なく且つ他の搬送路の合流なく繋がっている。言い換えれば、表裏取揃部５０から入出金口１２への紙幣の流れにおいて表裏取揃部５０の直後に入出金口１２が配置されている。これにより、搬送部Ａａを短くし表裏取揃部５０を入出金口１２の近傍に配置している。
【００４１】
搬送部Ａａには重送検知センサ５５が設けられている。つまり、表裏取揃部５０の表裏反転搬送路１５Ｊと搬送部Ａｂとの合流部５１と入出金口１２との間に重送検知センサ５５が設けられている。重送検知センサ５５は、検知位置に紙幣がない状態と、検知位置に一枚の紙幣がある状態と、検知位置に二枚重ねの紙幣がある状態と、検知位置に三枚重ね以上の紙幣がある状態とを検知するもので、これらの組み合わせから、紙幣の一枚送り、二重送りおよび三重以上の重送を検知する。
【００４２】
具体的に、重送検知センサ５５は、紙幣がない状態から次に紙幣がない状態を検知するまでの間に一枚の紙幣を連続して検知した場合、紙幣が一枚のみ送られている一枚送りの状態にあることを検知する。また、紙幣がない状態から次に紙幣がない状態を検知するまでの間に、一枚の紙幣を検知し、二枚重ねの紙幣を検知して、一枚の紙幣を検知すると、紙幣が一部重なって搬送されている二重送りの状態であることを検知する。さらに、紙幣がない状態から次に紙幣がない状態を検知するまでの間に、二枚重ねの紙幣を検知すると、紙幣が全部重なって搬送されている二重送りの状態であることを検知する。なお、重送検知センサ５５は、三重以上の重送および紙幣の滞留をも検知するようになっている。
【００４３】
重送検知センサ５５は、具体的には、搬送部Ａａを挟んで配置される発光素子と受光素子とを有する光学式の重送検知センサとなっている。つまり、重送検知センサ５５は、発光素子の発光中の受光素子の受光量から、受光量が所定の上側閾値より大きい場合は検知位置である光路上に紙幣がないと判定し、受光量が所定の上側閾値以下で、これより小さい所定の中間閾値より大きい場合は光路上の紙幣が一枚であると判定し、受光量が前記中間閾値以下で、これより小さい所定の下側閾値より大きい場合は光路上の紙幣が二重であると判定し、受光量が前記下側閾値以下の場合は、紙幣が三重以上の重送であると判定する。なお、例えば、紙幣を挟んで一側に配置されるローラと他側に配置されるローラとの距離から、紙幣がない状態と、紙幣が一枚の状態と、紙幣が二重の状態と、紙幣が三重以上の多重送の状態とを検出する機械式の重送検知センサを用いることも可能であり、光学式の重送検知センサと機械式の重送検知センサとを組み合わせることも可能である。
【００４４】
紙幣処理装置１１はその作動を制御する制御部６０を有しており、制御部６０には、操作者により操作入力がなされる操作部６１と、操作者に向けた報知等を表示する表示部６２とが接続されている。
【００４５】
次に、本実施形態に係る紙幣処理装置１１の作動について各処理別に説明する。
【００４６】
「入金処理」
入出金口１２は、シャッタ３０を閉じ、ビルプレス３４を最も底面３１側の投入位置に位置させた状態が待機状態となっている。この待機状態で、操作部６１に入金処理の選択操作が入力されると、制御部６０はシャッタ３０を開く。この状態で、入出金口１２に外部から紙幣が投入される。紙幣が投入されて、操作部６１に入金処理開始の操作が入力されると、制御部６０は、シャッタ３０を閉じ、ビルプレス３４を天井面３２側に移動させる。そして、入出金口１２の紙幣を、天井面３２側のものから一枚ずつ分離して、内口部１２ａから取り入れ搬送路１５Ａの搬送部Ａａ〜Ａｅで搬送する。この搬送中に、紙幣は、まず、重送検知センサ５５で重送が検知され、重送でない一枚送りの紙幣は、次に識別部１６で識別される。そして、識別部１６で受け入れ可能と識別された紙幣は、搬送部Ａｆ〜Ａｈの適宜のものにより搬送され、振分部２０Ｂ〜２０Ｅの適宜のもので振り分けられ、搬送路１５Ｂ〜１５Ｅの適宜のもので搬送されて、一時貯留部４０Ｂ〜４０Ｅの対応する金種のものに一時貯留される（図２の太実線参照）。なお、上記の入金処理ルートのうち搬送部Ａｂ，Ａｃは表裏取揃部５０の表券ルートを構成するものであるため、入出金口１２から繰り出された紙幣は、表券ルートを介して識別部１６に向けて搬送されることになり、重送検知センサ５５は、入出金口１２から表券ルートへの紙幣の重送を検知することになる。
【００４７】
具体的に、識別部１６で万円券と識別された紙幣は、一時貯留部４０Ｂおよび出金収納部４１Ｂが共に満杯状態になければ、搬送路１５Ａの搬送部Ａｅから振分部２０Ｂで搬送路１５Ｂに振り分けられて一時貯留部４０Ｂに搬送されて一時貯留される。また、識別部１６で五千円券と識別された紙幣は、一時貯留部４０Ｃおよび出金収納部４１Ｃが共に満杯状態になければ、搬送路１５Ａの搬送部Ａｆから振分部２０Ｃで搬送路１５Ｃに振り分けられて一時貯留部４０Ｃに搬送されて一時貯留される。また、識別部１６で千円券と識別された紙幣は、一時貯留部４０Ｄおよび出金収納部４１Ｄが共に満杯状態になければ、搬送部Ａの搬送部Ａｇから振分部２０Ｄで搬送路１５Ｄに振り分けられて一時貯留部４０Ｄに搬送されて一時貯留される。なお、万円券、五千円券および千円券のうち、搬送先の一時貯留部４０Ｂ〜４０Ｄまたは出金収納部４１Ｂ〜４１Ｄが満杯状態にある紙幣と、二千円券とについては、搬送路１５Ａの搬送部Ａｈから振分部２０Ｅで搬送路１５Ｅに振り分けられて一時貯留部４０Ｅに搬送されて一時貯留される。
【００４８】
なお、入出金口１２から表裏取揃部５０の搬送部Ａａおよび搬送部Ａｂ，Ａｃ（つまり表券ルート）への紙幣の重送が搬送部Ａａに設けられた重送検知センサ５５で検知されると、制御部６０は、入出金口１２からの紙幣の取り込みを停止させるとともに、重送の紙幣を搬送路１５Ａの搬送部Ａｃに完全に移動させてから、搬送路１５Ａを逆転させて、重送の紙幣を含む搬送路１５Ａにあるすべての紙幣を、振分部２０Ｈおよび搬送路１５Ｈによって、入金リジェクト口１３に排出する（図２の太破線参照）。そして、搬送路１５Ａにある紙幣をすべて入金リジェクト口１３に排出すると、制御部６０は、再び、入出金口１２にある紙幣を、上記と同様にして搬送路１５Ａに取り込んで一時貯留部４０Ｂ〜４０Ｅに向け搬送する。
【００４９】
また、識別部１６で受け入れ不可と紙幣が識別された場合も、制御部６０は、入出金口１２からの紙幣の取り込みを停止させるとともに、搬送部Ａａ，Ａｂにあった紙幣を完全に搬送部Ａｃまで移動させてから、搬送路１５Ａを逆転させて、識別部１６で受け入れ不可と識別された紙幣を含む搬送路１５Ａにある紙幣をすべて、振分部２０Ｈおよび搬送路１５Ｈにより入金リジェクト口１３に排出する（図２の太破線参照）。そして、搬送路１５Ａにある紙幣をすべて入金リジェクト口１３に排出すると、制御部６０は、再び、入出金口１２にある紙幣を、上記と同様にして搬送路１５Ａに取り込んで一時貯留部４０Ｂ〜４０Ｅに向け搬送する。
【００５０】
以上により、入出金口１２に投入された紙幣のうち、重送検知センサ５５で重送が検知された紙幣と識別部１６で受け入れ不可と識別された紙幣とそれぞれの前あるいは後の一枚あるいは数枚の紙幣が、入金リジェクト口１３に搬送されることになり、重送検知センサ５５で一枚送りが検知され、識別部１６で受け入れ可能と識別された紙幣が一時貯留部４０Ｂ〜４０Ｅの対応するものに一時貯留される。入出金口１２に投入された紙幣がすべて入金リジェクト口１３および一時貯留部４０Ｂ〜４０Ｅのいずれかに搬送された状態になると、制御部６０は、入金処理を終了する。
【００５１】
「収納処理」
入金処理の終了後、制御部６０は、識別部１６の識別結果から一時貯留部４０Ｂ〜４０Ｅに一時貯留されている紙幣の金種別の枚数および総額等の金額情報を表示部６２に表示させる。これを見て、操作者が操作部６１に承認操作を入力すると、制御部６０は、上記金額情報を記憶するとともに、一時貯留部４０Ｂ〜４０Ｅに一時貯留させていた紙幣を出金収納部４１Ｂ〜４１Ｅに収納する（図３の太実線参照）。
【００５２】
「返却処理」
入金処理終了後の金額情報の表示部６２への表示後、操作者が操作部６１に返却操作を入力すると、制御部６０は、ビルプレス３４を受入位置に位置させて、搬送路１５Ｂ〜１５Ｅ、搬送路１５Ａの搬送部Ａａ〜Ａｈにより、一時貯留部４０Ｂ〜４０Ｅに一時貯留されていた紙幣を入出金口１２に放出させる。すると、放出された紙幣は、シャッタ３０に当接し下方に落下することによりビルプレス３４上に集積される（図４の太実線参照）。その際に、制御部６０は、重送検知センサ５５により検知された紙幣の枚数に応じてビルプレス３４を底面３１側に移動させる。そして、一時貯留部４０Ｂ〜４０Ｅに一時貯留されていた紙幣がすべて入出金口１２に放出されると、制御部６０は、シャッタ３０を開いて、紙幣を外部に取り出し可能とする。なお、この返却処理においても、後述する出金処理と同様に、表裏取揃部５０で入出金口１２へ繰り出す紙幣の表裏を取り揃えるようにすることが可能である。
【００５３】
「出金処理」
操作部６１に、出金させる紙幣の金額情報とともに出金処理の選択操作が入力されると、制御部６０は、待機状態にある入出金口１２のビルプレス３４を天井面３２側の所定の受入位置に移動させるとともに、一時貯留収納部１８Ｂ〜１８Ｄの出金収納部４１Ｂ〜４１Ｄに収納されていた紙幣の中から金額情報に応じた金種および枚数の紙幣を搬送路１５Ｂ〜１５Ｄおよび搬送部Ａｇ，Ａｆ，Ａｅで識別部１６に向けて搬送する。そして、識別部１６で出金可能と識別された紙幣のうち表面を上側としていると識別された紙幣は、搬送部Ａｄ，Ａｃ，Ａｂ，Ａａで搬送して内口部１２ａから入出金口１２に放出させる。他方、識別部１６で出金可能と識別された紙幣のうち裏面を上側としている紙幣は、振分部２０Ｊにより表裏反転搬送路１５Ｊに搬送し、表裏を反転させて、搬送部Ａａを介して内口部１２ａから入出金口１２に放出させる（図５の太実線参照）。他方、識別部１６で重送や斜行が検出された出金不可紙幣は、振分部２０Ｇａ，２０Ｆで搬送路１５Ｇ、搬送部Ａｊおよび搬送路１５Ｆに搬送し、リジェクトカセット２２に収納する（図５の太破線参照）。
【００５４】
ここで、表裏取揃部５０は、紙幣を搬送部Ａｃ，Ａｂで搬送する表券ルートよりも紙幣を表裏反転搬送路１５Ｊで搬送する裏券ルートの方が搬送距離が長いため、搬送部Ａｄから搬送部Ａａに至るまでの搬送時間が表券ルートよりも裏券ルートの方が長くなる。このため、裏券の直後に表券が搬送される場合に、表裏取揃部５０の合流部５１で紙幣が重なる可能性がある。このように、表裏取揃部５０の合流部５１で紙幣が重なったとしても、合流部５１と入出金口１２との間の搬送部Ａａが他の搬送路に分岐していないため、分岐させるための間隔をあける必要がなく、よって、重なったまま入出金口１２に放出させる。すると、完全に重なった状態の紙幣の場合、そのまま同時にシャッタ３０に当接し下方に落下することによりビルプレス３４上に集積される。一部重なった状態の紙幣の場合、シャッタ３０に当接するタイミングはずれるもののいずれもシャッタ３０に当接し位置が揃えられてビルプレス３４上に集積される。
【００５５】
以上の出金処理において、制御部６０は、識別部１６の識別結果と重送検知センサ５５の検知結果とから入出金口１２への紙幣の出金が正常であるか否かを判定する。具体的に、制御部６０は、識別部１６による識別結果から割り出される紙幣の入出金口１２への出金枚数と、重送検知センサ５５の検知結果から割り出される紙幣の入出金口１２への出金枚数とが一致すると、出金が正常であると判定し、それ以外の場合には出金が正常でないと判定する。なお、制御部６０は、重送検知センサ５５が紙幣の三重以上の多重送および紙幣の滞留を検知した場合も入出金口１２への出金が正常でないと判定する。
【００５６】
例えば、識別部１６による識別結果から割り出される紙幣の出金枚数が３枚であった場合に、重送検知センサ５５が紙幣を３枚検知した場合には、出金が正常であると判定し、それ以外の場合には出金が正常でないと判定する。ここで、識別部１６で重送と識別された紙幣はリジェクトカセット２２に搬送され、入出金口１２へ搬送されることはないため、識別部１６を通過後、入出金口１２へ向け搬送される紙幣は、間隔をあけて一枚ずつ搬送されることになる。これに対して、表裏取揃部５０を通過後、重送検知センサ５５が紙幣を３枚検知するパターンとしては、紙幣なし、一枚紙幣、紙幣なし、一枚紙幣、紙幣なし、一枚紙幣、紙幣なしの順に検知する場合と、紙幣なし、一枚紙幣、紙幣なし、二重紙幣、紙幣なしの順に検知する場合と、紙幣なし、二重紙幣、紙幣なし、一枚紙幣、紙幣なしの順に検知する場合とがある。なお、二重紙幣の検知は、紙幣なし、一枚紙幣、二重紙幣、一枚紙幣、紙幣なしを検知した際の連続する一枚紙幣、二重紙幣、一枚紙幣の検知が二重紙幣の検知となり、加えて、紙幣なし、二重紙幣、紙幣なしを検知した際の二重紙幣も二重紙幣の検知となる。
【００５７】
なお、制御部６０は、上記に加えて、識別部１６の識別結果による紙幣の表裏情報と重送検知センサ５５の検知結果とから入出金口１２への紙幣の出金が正常であるか否かを判定するようにしても良い。例えば、識別部１６の識別結果による紙幣の表裏情報から二重送りが生じる可能性がある場合には、二重送りが発生しても、出金が正常であると判定し、識別部１６の識別結果による紙幣の表裏情報から二重送りが生じる可能性がない場合に、二重送りが発生すると、出金が正常でないと判定する。具体的には、識別部１６の識別結果から搬送長さが長い裏券ルートを通る裏券に続いて搬送長さが短い表券ルートを通る表券が入出金口１２へ向け搬送されている場合に、これらの紙幣について重送検知センサ５５が二重送りを検知しても出金が正常であると判定する。一方、識別部１６の識別結果から表券に続いて裏券が入出金口１２へ向け搬送されている場合と、表券に続いて表券が入出金口１２へ向け搬送されている場合と、裏券に続いて裏券が入出金口１２へ向け搬送されている場合とについて、重送検知センサ５５が二重送りを検知すると出金が正常でないと判定する。
【００５８】
制御部６０は、上記の判定で出金が正常でないと判定した場合、搬送路１５Ａ〜１５Ｊの駆動中のものを停止させるとともに、シャッタ３０を開くことなく、表示部６２により異常を報知させる。この場合、権限を有する者が、操作部６１へパスワート等を含んで操作入力を行うことにより、シャッタ３０を開いて入出金口１２内の紙幣を回収する等の復旧作業を行う。
【００５９】
加えて、制御部６０は、識別部１６と入出金口１２との間に重送検知センサ５５とは別に設けられた紙幣の有無を判定する紙幣検知センサによっても紙幣を検知させており、識別部１６の識別結果と重送検知センサ５５の検知結果と紙幣検知センサの検知結果とから入出金口１２への出金が正常であるか否かを判定する。つまり、上記したように、識別部１６の識別結果と重送検知センサ５５の検知結果とから正常であるか否かを判定する前であっても、紙幣検知センサの検知結果から紙幣の滞留が検知された場合等には、入出金口１２への紙幣の出金が正常でないと判定して、搬送路１５Ａ〜１５Ｊの駆動中のものを停止させるとともに、シャッタ３０を開くことなく、表示部６２により異常を報知させる。
【００６０】
「精査処理」
操作部６１に精査処理の選択操作が入力されると、制御部６０は、例えば、一時貯留収納部１８Ｂの出金収納部４１Ｂの紙幣を、搬送路１５Ｂから搬送部Ａｅに繰り出し、識別部１６の識別結果から一時貯留収納部１８Ｂへの収納が適正であると識別された紙幣を振分部２０Ｇａ，２０Ｆにより、搬送路１５Ｇおよび搬送部Ａｊ，Ａｋを介して繰出カセット２４から収納カセット２５に収納する（図６の太実線参照）。一方、識別部１６の識別結果から一時貯留収納部１８Ｂへの収納が適正であると識別されなかった重送等の紙幣を振分部２０Ｇａ，２０Ｆにより、搬送路１５Ｇ、搬送部Ａｊおよび搬送路１５Ｆを介してリジェクトカセット２２に収納する（図６の太破線参照）。このようにして、一時貯留収納部１８Ｂの出金収納部４１Ｂのすべての紙幣を、収納カセット２５あるいはリジェクトカセット２２に搬送する。
【００６１】
次に、制御部６０は、収納カセット２５の紙幣を搬送部Ａｋ，Ａｊに繰り出し、振分部２０Ｇｂで搬送路１５Ｇ、搬送部Ａｅに搬送し、識別部１６の識別結果から、一時貯留収納部１８Ｂへの収納が適正であると識別された紙幣を振分部２０Ｂで搬送路１５Ｂに振り分け、一時貯留収納部１８Ｂの一時貯留部４０Ｂから出金収納部４１Ｂに収納する（図７の太実線参照）。一方、識別部１６の識別結果から一時貯留収納部１８Ｂへの収納が適正であると識別されなかった重送等の紙幣を搬送部Ａｆ，Ａｇ，Ａｈ，Ａｉ，Ａｊに搬送し振分部２０Ｆにより搬送路１５Ｆに振り分けてリジェクトカセット２２に収納する（図７の太破線参照）。そして、このときの識別部１６の識別結果から、一時貯留収納部１８Ｂへ収納した紙幣の枚数情報つまり金額情報を確定する。なお、識別部１６で、一時貯留収納部１８Ｂへの収納が適正であると識別されなかった紙幣を検出すると、制御部６０は、一旦収納カセット２５からの紙幣の繰り出しを停止して搬送部Ａｊをリジェクトカセット２２へ向けた紙幣の搬送に切り替えることになる。
【００６２】
上記と同様にして、一時貯留収納部１８Ｃの紙幣をすべて収納カセット２５あるいはリジェクトカセット２２に搬送した後、収納カセット２５から一時貯留収納部１８Ｃあるいはリジェクトカセット２２に搬送して一時貯留収納部１８Ｃの金額情報を確定する。また、一時貯留収納部１８Ｄの紙幣をすべて収納カセット２５あるいはリジェクトカセット２２に搬送した後、収納カセット２５から一時貯留収納部１８Ｄあるいはリジェクトカセット２２に搬送して一時貯留収納部１８Ｄの金額情報を確定する。さらに、一時貯留収納部１８Ｅの紙幣をすべて収納カセット２５あるいはリジェクトカセット２２に搬送した後、収納カセット２５から一時貯留収納部１８Ｅあるいはリジェクトカセット２２に搬送して一時貯留収納部１８Ｅの金額情報を確定する。
【００６３】
「回収処理」
操作部６１に回収処理の選択操作が入力されると、制御部６０は、例えば、一時貯留収納部１８Ｂの出金収納部４１Ｂの紙幣を、搬送路１５Ｂ、搬送部Ａｅに繰り出し、振分部２０Ｇａ，２０Ｆにより、搬送路１５Ｇおよび搬送部Ａｊ，Ａｋを介して繰出カセット２４に一時貯留させる。そして、この紙幣を収納カセット２５に収納する（図８の太実線参照）。これにより、収納カセット２５を取り出して紙幣を回収することで、一時貯留収納部１８Ｂの出金収納部４１Ｂの紙幣を回収することができる。一時貯留収納部１８Ｃ〜１８Ｅの紙幣についても、同様にして回収することができる。
【００６４】
「補充処理」
操作部６１に補充処理の選択操作が入力されると、制御部６０は、収納カセット２５に補充紙幣が補充されていることを確認し、収納カセット２５の紙幣を搬送部Ａｋ，Ａｊに繰り出し、振分部２０Ｇｂで搬送路１５Ｇ、搬送部Ａｅに搬送し、識別部１６の識別結果から、一時貯留収納部１８Ｂ〜１８Ｄへの収納が適正であると識別された紙幣を振分部２０Ｂ〜２０Ｄの適宜のもので搬送路１５Ｂ〜１５Ｄの適宜のものに振り分け、一時貯留収納部１８Ｂ〜１８Ｄの出金収納部４１Ｂ〜４１Ｄの適宜のものに収納する（図９の太実線参照）。一方、識別部１６の識別結果から一時貯留収納部１８Ｂ〜１８Ｄへの収納が適正であると識別されなかった紙幣を搬送部Ａｈ，Ａｉ，Ａｊに搬送し振分部２０Ｆにより搬送路１５Ｆに振り分けてリジェクトカセット２２に収納する（図９の太破線参照）。なお、識別部１６で、一時貯留収納部１８Ｂ〜１８Ｄへの収納が適正であると識別されなかった紙幣を検出すると、制御部６０は、一旦繰出カセット２４からの紙幣の繰り出しを停止して搬送部Ａｊをリジェクトカセット２２へ向けた紙幣の搬送状態に切り替えることになる。
【００６５】
以上に述べた本実施形態に係る紙幣処理装置１１によれば、表裏取揃部５０において、表裏反転が不要な紙幣は、振分部２０Ｊ，２０Ｈによって搬送部Ａｃ，Ａｂからなる表券ルートに振り分けられ、表裏反転させられることなく表券ルートを通過して合流部５１を通り、入出金口１２に繰り出される。他方、表裏反転が必要な紙幣は、振分部２０Ｊによって表裏反転搬送路１５Ｊからなる裏券ルートに振り分けられ、裏券ルートで表裏反転させられて合流部５１を通り、入出金口１２に繰り出される。よって、紙幣を入出金口１２へ上側から繰り出したり下側から繰り出したりする場合と比べて表裏取揃部５０を小型化し簡素化することができる。しかも、表裏取揃部５０の合流部５１と入出金口１２とは途中で分岐することなく繋がれているため、分岐のための部材を差し入れるための紙幣間隔が不要となり、例え紙幣が合流部５１で重なることがあったとしても、そのまま入出金口１２に繰り出すことができる。よって、表裏を取り揃えた紙幣を搬送間隔をあけて下流側に搬送する場合と比べて表裏取揃部５０を小型化し簡素化することができる。したがって、表裏取揃部５０を部品点数を削減して低コストにでき、また、表裏取揃部５０の実装スペースの制約が小さくなることから紙幣処理装置１１の内部レイアウトの自由度が増す。
【００６６】
また、入出金口１２との間に分岐がないことから入出金口１２との間に距離を確保する必要がない表裏取揃部５０を入出金口１２の近傍に配置する。これにより、紙幣処理装置１１内の配置スペースの効率化を図ることができる。
【００６７】
また、搬送部Ａｃ，Ａｂからなる表券ルートと表裏反転搬送路１５Ｊからなる裏券ルートとは、互いの紙幣搬送長さが非等長となっているため、等長にする場合のように長さの調整が不要になる。よって、表裏取揃部５０をさらに小型化し簡素化することができる。
【００６８】
また、表裏反転搬送路１５Ｊからなる裏券ルートが、搬送部Ａｃ，Ａｂからなる表券ルートの上側に配置されているため、簡素な表券ルートを開閉する構造にして表裏取揃部５０のジャム紙幣除去等のメンテナンスが可能になり、開閉構造の簡素化が図れる。
【００６９】
本実施形態に係る紙幣処理装置１１によれば、制御部６０は、識別部１６の識別結果と、表裏取揃部５０の合流部５１と入出金口１２との間に設けられた重送検知センサ５５の検知結果とから入出金口１２への紙幣の出金が正常であるか否かを判定するため、例え紙幣が重なることがあったとしても、入出金口１２への紙幣の出金が正常であるか否かを正確に判定することができる。
【００７０】
また、入出金口１２が外部から投入された紙幣を内部に繰り出す場合に、重送検知センサ５５が入出金口１２からの紙幣の二重送りを検知することになる。よって、出金用の重送検知センサおよび入金用の重送検知センサを一つの重送検知センサ５５で共用できる。しかも、重送検知センサ５５が表裏取揃部５０の合流部５１と入出金口１２との間に設けられているため、識別部１６での識別よりも早い段階で重送を検知することができる。したがって、例えば識別部１６での重送検知を廃止したり、重送に起因して返却する紙幣の数を、識別部１６での重送検知により返却する場合と比べて減らすことができる。
【００７１】
また、制御部６０は、入出金口１２から搬送部Ａｃ，Ａｂからなる表券ルートへの紙幣の重送を重送検知センサ５５で検知すると、当該重送の紙幣を外部に取り出し可能とする入金リジェクト口１３に排出することになるため、識別部１６での識別よりも早い段階で重送を検知することにより、重送の紙幣を入金リジェクト口１３に素早く排出することができる。
【００７２】
また、制御部６０は、識別部１６の識別結果と、表裏取揃部５０の合流部５１と入出金口１２との間に設けられた重送検知センサ５５の検知結果と、識別部１６と入出金口１２との間に重送検知センサ５５とは別に設けられた図示略の紙幣検知センサの検知結果とから、入出金口１２への紙幣の出金が正常であるか否かを判定することになるため、入出金口１２への紙幣の出金が正常であるか否かをより正確に判定することができる。
【００７３】
なお、上記実施形態においては入出金口１２を有する紙幣処理装置１１に本発明を適用する場合を例にとり説明したが、外部から投入された紙幣を内部に繰り出す入金口と表裏取揃部で表裏が取り揃えられた紙幣を受け入れて外部に取り出し可能とする出金口とを別々に有する紙幣処理装置の出金口への出金ルートや、出金口があり入金口がない出金専用の紙幣処理装置の出金口への出金ルートに本発明を適用することも可能である。
【符号の説明】
【００７４】
１１  紙幣処理装置
１２  入出金口（出金口）
１３  入金リジェクト口（リジェクト口）
１５Ｊ  表裏反転搬送路（裏券ルート）
１６  識別部
１８Ｂ〜１８Ｄ  一時貯留収納部（収納部）
２０Ｊ  振分部
５０  表裏取揃部
５１  合流部
５５  重送検知センサ
６０  制御部
Ａｂ，Ａｃ  搬送部（表券ルート）
【図１】
0006455999.tif 000002
【図２】
0006455999.tif 000003
【図３】
0006455999.tif 000004
【図４】
0006455999.tif 000005
【図５】
0006455999.tif 000006
【図６】
0006455999.tif 000007
【図７】
0006455999.tif 000008
【図８】
0006455999.tif 000009
【図９】
0006455999.tif 000010